(57)【要約】 【課題】  本発明は、携帯電話、モバイルなどの機器に設置されるディスプレイ画面の端部が曲面で成形されることによって、ディスプレイ画面を保護するための保護フィルムが曲面まで付着されるようにしてディスプレイ画面を保護する携帯電話のディスプレイの画面保護強化ガラス保護フィルムに関するものである。【解決手段】本発明は携帯電話ディスプレイ画面保護用強化ガラス保護フィルムに関するもので、より具体的には、上下左右端部の下部に段差が形成された強化ガラス部と；携帯電話ディスプレイ画面の曲面端部と対応するように底面の一定部分は曲面で形成し、端部終端から次第に厚く形成されて上部面が曲面で成形されると共に強化ガラス部の端部に連結されるように強化ガラス部の段差にインサート射出され一体で形成される軟質性シリコン材で成った曲面部と；上記強化ガラス部の底面にシリコン材質の粘着物質が塗布されて成った粘着層を含む。【選択図】  図５
2016036126.tif 000002
【特許請求の範囲】
【請求項１】
上下左右端部の下部に段差１０４が形成された強化ガラス部１０２と；
携帯電話１０表示画面２０の曲面の端部２２と対応するように底面の一定部分は曲面で形成され、前記強化ガラス部１０２の端部終端から次第に厚く形成され、上部面が曲面に成形されるようにするとともに、前記強化ガラス部１０２の端部に連結されるように前記強化ガラス部１０２の段差１０４にインサート射出されて一体に形成される軟質性シリコン材からなる曲面部１０６と；
前記強化ガラス部１０２の底面にシリコン材質の粘着物質が塗布されて成った粘着層
を含むことを特徴とする携帯電話ディスプレイ画面保護用強化ガラス保護フィルム。
【請求項２】
上記曲面部１０６の底面より強化ガラス部１０２の底面が下方にさらに突出したことを特徴とする請求項１の携帯電話ディスプレイ画面保護用強化ガラス保護フィルム。
【請求項３】
前記曲面部１０６の上面は薄膜の合成樹脂材でコーティング処理されたことを特徴とする請求項１又は２の携帯電話ディスプレイ画面保護用強化ガラス保護フィルム。
【発明の詳細な説明】
【技術分野】
【０００１】
本発明は携帯電話ディスプレイ画面保護用強化ガラス保護フィルムに関するもので、特に、携帯電話、モバイルなどの機器に設置されるディスプレイ画面の端部が曲面で成形されることにより、ディスプレイ画面を保護するための保護フィルムが曲面まで付着するようにしてディスプレイ画面を保護する携帯電話ディスプレイ画面保護用強化ガラス保護フィルムに関する。
【背景技術】
【０００２】
一般的に、携帯電話１０、スマートフォン１０等のモバイル機器にはディスプレイ画面２０を保護するための保護フィルム３０を付着して外部衝撃およびスクラッチ発生を未然に防止することによって、機器を清潔に使うようにしたり機器の性能が低下するのを防止した。
【０００３】
従来、携帯電話１０、スマートフォン１０等のモバイル機器のディスプレイ画面２０は、図１と図２に示された通り平面１字型で製作されて、これに伴い、保護フィルム３０は図２に示されたＡ領域のようにディスプレイ画面２０に全体的に付着して保護フィルム３０としての役割および機能をそのまま遂行することができた。
【０００４】
しかし、携帯電話１０、スマートフォン１０等のモバイル機器のデザインが次第に変化してディスプレイ画面２０の端部が図３と図４に示された通り曲面形態で成形されたものが発売された。
【０００５】
これに伴い、一般的な保護フィルム３０では図３の二点鎖線または、図４のＢ領域のようにディスプレイ画面３０の端部の終端まで覆うことができない問題点があった。
【０００６】
すなわち、従来の保護フィルム３０をディスプレイ画面２０の端部まで覆って付着させる場合、曲面端部２２に付着した保護フィルム３０が機器使用中広がったり離脱することがとても簡単に発生するので、機器をより一層汚らしくするなど美観が悪くなることによって、消費者の不満を招くことになって、図３のようにディスプレイ画面２０の曲面端部２２部分までは保護フィルム３０を付着しないようにするほかなかった。
【０００７】
これに伴い、図３の二点鎖線とディスプレイ画面２０の曲面端部２２の間に露出される空白の部分は外部衝撃やスクラッチ発生要因から保護されなくなることによって、ディスプレイ画面２０中最も脆弱な部分に残るほかなく、これに伴い、この部分では汚染、スクラッチ、外部衝撃によって簡単に破損するなどの問題点が発生することになる。
【発明の概要】
【発明が解決しようとする課題】
【０００８】
上記した問題点を解決するために案出された本発明は、携帯電話、スマートフォンなどのモバイル機器のディスプレイ画面の端部がラウンディングされた曲面の構造で成形される場合、ディスプレイ画面の平面部と曲面部が全部覆われるようにしてディスプレイ画面を保護しながらも、特に、曲面部は軟質性シリコン材で覆われると共にシリコン材の端部がディスプレイ画面の曲面部から脱落しないようにしてディスプレイ画面の全体的な保護ができるようにするのにその目的がある。
【課題を解決するための手段】
【０００９】
上記した目的は、上下左右端部の下部に段差１０４が形成された強化ガラス部１０２と；携帯電話１０ディスプレイ画面２０の曲面端部２２と対応するように底面の一定部分は曲面で形成して、端部終端から次第に厚く形成して上部面が曲面で成形するようにすると共に、強化ガラス部１０２の端部に連結されるように強化ガラス部１０２の段差１０４にインサート射出されて一体で形成される軟質性シリコン材でなった曲面部１０６と；上記強化ガラス部１０２の底面にシリコン材質の粘着物質が塗布されてなった粘着層を含むことを特徴とする携帯電話ディスプレイ画面保護用強化ガラス保護フィルムによって達成される。
【００１０】
そして、上記曲面部１０６の底面より強化ガラス部１０２の底面が下方でさらに突出するようにすることが望ましい。
【００１１】
また、上記曲面部１０６の上面は薄膜の合成樹脂材でコーティング処理することが望ましい。
【発明の効果】
【００１２】
本発明は硬度が強化されて、透明度が向上した強化ガラス部によって携帯電話、モバイルなどの機器のディスプレイ画面に出力される内容を容易に識別することができるようにすることはもちろん、タッチ感が優秀でタッチ式ディスプレイ画面の便利な使用を可能にして、特に、従来合成樹脂材でなった薄膜の保護フィルムで保護できなかったディスプレイ画面のラウンディングされた端部曲面をシリコン材質で形成された曲面部で覆うことができるようにすることによって、ディスプレイ画面が外部衝撃による破損やスクラッチなどの毀損から保護できるようにする効果を有する。
【図面の簡単な説明】
【００１３】
【図１】平面形ディスプレイ画面が採択されたスマートフォンの正面図である。
【図２】図１の底面図であって、保護フィルムが付着する領域を示した図面。
【図３】曲面型端部が成形されたディスプレイ画面が採択されたスマートフォンの正面図および保護フィルムが付着する領域を示した図面。
【図４】図３の底面図であって、ディスプレイ画面の端部の部分の構造および保護フィルムが付着する領域を示した図面。
【図５】本発明による強化ガラス保護フィルムがディスプレイ画面に付着される状態を示した図面。
【発明を実施するための形態】
【００１４】
本発明の構成および構造を添付された図５を参照して説明すれば次のとおりである。
【００１５】
本発明による携帯電話ディスプレイ画面保護用強化ガラス保護フィルム１００は、強化ガラス部１０２、曲面部１０６、粘着層で構成されるところ、上記強化ガラス部１０２は強化された硬度と向上した透明度を有する通常の強化ガラスを採択したもので、ディスプレイ画面２０の平面部を覆う。
【００１６】
上記強化ガラス部１０２の上下左右端部下部には図５に示された通り段差１０４が形成されていて、この段差１０４には軟質性シリコンでインサート射出された曲面部１０６が形成されて一体化される。
【００１７】
上記曲面部１０６の底面は、携帯電話１０、スマートフォン１０等のモバイル機器に使われるディスプレイ画面２０の曲面端部２２と対応するように一定部分は曲面で形成されて、残りの一定部分から段差１０４までは平面で形成される。
【００１８】
さらに、上記曲面部１０６の上面は、図示された通り端部終端から次第に厚くなり、曲面の形状で成形された後、強化ガラス部１０２の端部に連結される構造で一体化できるようにインサート射出される。
【００１９】
上記曲面部１０６は、上述した通り軟質性材質であるシリコン材でなったもので、上記シリコン材でインサート射出された曲面部１０６はそれ自体として表面がねばねばする感じの物性を有しているので、曲面部１０６の底面に粘着物質を塗布しなかった状態でもスリップ現象が発生しなく、ディスプレイ画面２０に付着した状態を維持することができる。
【００２０】
反面、上記曲面部１０６の上面は使用者の手や服など外部環境にそのまま露出して接触する部分であるから、シリコン材質の物性をそのまま維持する場合、ホコリなどによる汚染にそのまま露出するほかない。
【００２１】
したがって、本発明では曲面部１０６の上面は薄膜の合成樹脂材がコーティングされるようにして外部環境による汚染を未然に防止するようにすることが望ましい。
【００２２】
一方、上記強化ガラス部１０２の底面にはシリコン材質で成った粘着物質を塗布して粘着層を形成することによって、ディスプレイ画面２０の平面に粘着するようにすることが望ましい。
【００２３】
ここで、上記曲面部１０６の底面と強化ガラス部１０２の底面は図５に示された通り段差が形成される（すなわち、強化ガラス部１０２の側面は、全てが曲面部１０６と接するのではなく、当該側面の下側の一部が曲面部１０６と接することなく露出される）ようにし、強化ガラス部１０２の底面が曲面部１０６の底面より下方にさらに突出するようにする。
【００２４】
曲面部１０６が強化ガラス部１０２にインサート射出された状態で上記強化ガラス部１０２の底面に粘着層を形成する場合、上記粘着層はローラによって塗布される段階を経ることになる。この際、強化ガラス部１０２の底面が曲面部１０６の底面より下方でさらに突出させることで、ローラが曲面部１０６の底面に接触しないで強化ガラス部１０２の底面にだけ接触することができる。なお、その段差はきわめて微細なのでディスプレイ画面２０に強化ガラス部１０２と曲面部１０６が密着する場合、段差によるスキ間は識別されない。
【００２５】
上記した通り、本発明は携帯電話１０、スマートフォン１０等のモバイル機器に使われるディスプレイ画面２０の端部がラウンディングされた曲面で成形される場合、この曲面端部２２まで完ぺきに覆って外部衝撃からディスプレイ画面２０を保護して、スクラッチ発生による機器の毀損を未然に防止することができるようにしたものである。
【符号の説明】
【００２６】
１００：強化ガラス保護フィルム
１０２：強化ガラス部
１０４：段差
１０６：曲面部
【図１】
2016036126.tif 000003
【図２】
2016036126.tif 000004
【図３】
2016036126.tif 000005
【図４】
2016036126.tif 000006
【図５】
2016036126.tif 000007